(57)【特許請求の範囲】
【請求項１】
回転軸を有する回転操作子を有し、当該回転操作子の第１の方向への回転に応じて加算信号を出力し、第２の方向への回転に応じて減算信号を出力するロータリーエンコーダと、
前記回転操作子の周囲であって、当該回転操作子の回転軸を中心に広がる角度の始点から終点の範囲に、当該回転軸を中心とする円周に沿って配置された複数の発光素子を有し、前記発光素子の発光により数字を表示させる発光部と、
予め上限値と下限値とが設定され、前記上限値と前記下限値との間の値として算出される指示値であって、前記回転操作子を前記角度の始点から終点までの回転量に相当する回転をさせた場合に前記指示値が前記下限値から前記上限値に変化するように、前記加算信号に応じて加算処理を行い、前記減算信号に応じて減算処理を行うことによって前記指示値を算出する指示値算出手段と、
前記指示値の下限値および上限値をそれぞれ前記始点および前記終点に対応させるとともに、前記指示値算出手段によって算出される指示値に応じた位置の前記発光素子の発光を制御する発光制御手段と、
前記指示値算出手段によって算出された指示値に応じた制御信号を出力する制御信号出力手段と
を具備することを特徴とする調節装置。
【請求項２】
前記指示値出力手段は、前記回転操作子の回転量に比例して、出力する指示値が変化するように指示値を算出する
ことを特徴とする請求項１に記載の調節装置。
【請求項３】
前記発光制御手段は、前記指示値出力手段によって出力される指示値を前記始点から終点の間の角度に換算し、前記換算した角度に対応する前記発光素子の発光態様を制御する
ことを特徴とする請求項１または請求項２に記載の調節装置。
【請求項４】
前記発光制御手段は、前記回転操作子の回転による角度の変化量と前記換算する角度の変化量とが同じ変化量になるように、前記指示値を角度に換算する
ことを特徴とする請求項３に記載の調節装置。
【請求項５】
情報出力モードに切り替える発光モード切替手段と、
自装置内部の所定の情報を取得する取得手段と、
前記発光モード切替手段によって情報出力モードに切り替えられた場合には、前記発光制御手段は、前記指示値に代えて、前記取得手段によって取得された情報に応じた位置の前記発光素子の発光を制御する
ことを特徴とする請求項１乃至請求項４のいずれかに記載の調節装置。
【請求項６】
情報入力モードに切り替える操作モード切替手段と、
操作により入力を確定する確定操作子と、
前記操作モード切替手段によって情報入力モードに切り替えられた場合に、前記確定操作子の操作により入力が確定されたときに前記指示値出力手段によって出力された指示値に応じた数値を入力値として出力する入力値出力手段と
をさらに具備する
ことを特徴とする請求項１乃至請求項５のいずれかに記載の調節装置。
【請求項７】
前記指示値を制御値に変換する変換テーブルを複数記憶する記憶手段と、
前記記憶手段に記憶された複数の変換テーブルのうち、一の変換テーブルを使用すべき変換テーブルとして設定する設定手段と、
前記入力値出力手段によって出力される入力値に基づいて、前記設定手段において設定される変換テーブルを変更する変更手段と
をさらに具備し、
前記制御信号出力手段は、前記指示値出力手段によって出力された指示値を、前記設定手段によって設定された使用すべき変換テーブルに従って変換した制御値を示す制御信号を出力する
ことを特徴とする請求項６に記載の調節装置。
【請求項８】
操作子を有し、当該操作子の操作によって前記指示値の増減を無線通信によって指示するリモコンと、
前記リモコンから指示に応じて前記指示値出力手段によって出力される指示値を増減させる増減手段と
をさらに具備することを特徴とする請求項１乃至請求項７のいずれかに記載の調節装置。
【請求項９】
前記複数の発光素子は、前記角度の始点から終点の範囲内に均等な間隔で配置されている
ことを特徴とする請求項１乃至請求項８のいずれかに記載の調節装置。
【請求項１０】
請求項１乃至請求項９のいずれかに記載の調節装置と、
オーディオ信号を入力する入力手段と、
前記入力手段から入力されたオーディオ信号を、前記制御信号出力手段から出力される制御信号に応じて増幅して出力する増幅手段と
を具備することを特徴とするＡＶアンプ。
【発明の詳細な説明】
【技術分野】
【０００１】
本発明は、ボリュームなどの調節装置における操作感を向上させる技術に関する。
【背景技術】
【０００２】
音量などの制御に用いるボリュームには、可変抵抗を用いたアナログ方式のボリュームやロータリーエンコーダを用いたデジタル方式のボリュームがある。アナログ方式のボリュームは、可変範囲すなわち下限値と上限値との間のどの程度の指示値としているかが操作子の回転位置により直感的に認識することができるとともに、回転による変化量についても直感的に認識することができる。しかし、リモコンなどによる遠隔操作で指示値を変化させるためには、遠隔操作であってもボリュームを回転させる必要があり、リモコンの制御に応じてボリュームを駆動するモータを設ける必要がある。
【０００３】
一方、デジタル方式のボリュームは、指示値はカウンタなどにより回転角をカウントするものであり、リモコン制御により指示値を変化させるときには、操作子の回転をさせなくてもカウンタだけを変化させればよいから、アナログ方式のようにモータなどを設ける必要が無い。しかし、ロータリーエンコーダの操作子は、回転限界が決まっていないため、回転位置から指示値を直感的に認識することが難しかった。そのため、指示値を認識しやすくする技術として、ディスプレイなどに指示値を数字、グラフなどで表示させる技術がある。また、例えば、特許文献１のように、操作子の周囲にＬＥＤ（Ｌｉｇｈｔ  Ｅｍｉｔｔｉｎｇ  Ｄｉｏｄｅ）を設けて、指示値に応じて発光表示させる技術も開示されている。
【特許文献１】特開平５−２１９５８９号公報
【発明の開示】
【発明が解決しようとする課題】
【０００４】
このように、デジタル方式のボリュームであっても指示値の視認性を高める技術は開示されているが、例えば、特許文献１に開示された技術においては、下限値と上限値との間のどの程度の指示値であるかを認識することができる一方、下限値から上限値まで変化させるための操作子の回転量は様々であった。したがって、操作子の回転量に応じた指示値の変化量については、操作子の操作経験から利用者自身が感覚的に認識しなくてはならず、アナログ方式のボリュームのように回転位置と指示値とが１対１に対応していて直感的に指示値を認識することができるデジタル方式のボリュームは実現されていなかった。
【０００５】
本発明は、上述の事情に鑑みてなされたものであり、ロータリーエンコーダを用いたデジタル方式においても、アナログ方式と同等な操作感が得られる調節装置およびＡＶアンプを提供することを目的とする。
【課題を解決するための手段】
【０００６】
上述の課題を解決するため、本発明は、回転軸を有する回転操作子を有し、当該回転操作子の第１の方向への回転に応じて加算信号を出力し、第２の方向への回転に応じて減算信号を出力するロータリーエンコーダと、前記回転操作子の周囲であって、当該回転操作子の回転軸を中心に広がる角度の始点から終点の範囲に、当該回転軸を中心とする円周に沿って配置された複数の発光素子を有し、前記発光素子の発光により数字を表示させる発光部と、予め上限値と下限値とが設定され、前記上限値と前記下限値との間の値として算出される指示値であって、前記回転操作子を前記角度の始点から終点までの回転量に相当する回転をさせた場合に前記指示値が前記下限値から前記上限値に変化するように、前記加算信号に応じて加算処理を行い、前記減算信号に応じて減算処理を行うことによって前記指示値を算出する指示値算出手段と、前記指示値の下限値および上限値をそれぞれ前記始点および前記終点に対応させるとともに、前記指示値算出手段によって算出される指示値に応じた位置の前記発光素子の発光を制御する発光制御手段と、前記指示値算出手段によって算出された指示値に応じた制御信号を出力する制御信号出力手段とを具備することを特徴とする調節装置を提供する。
【０００７】
また、別の好ましい態様において、前記指示値出力手段は、前記回転操作子の回転量に比例して、出力する指示値が変化するように指示値を算出することを特徴とする。
【０００８】
また、別の好ましい態様において、前記発光制御手段は、前記指示値出力手段によって出力される指示値を前記始点から終点の間の角度に換算し、前記換算した角度に対応する前記発光素子の発光態様を制御することを特徴とする。
【０００９】
また、別の好ましい態様において、前記発光制御手段は、前記回転操作子の回転による角度の変化量と前記換算する角度の変化量とが同じ変化量になるように、前記指示値を角度に換算することを特徴とする。
【００１０】
また、別の好ましい態様において、情報出力モードに切り替える発光モード切替手段と、自装置内部の所定の情報を取得する取得手段と、前記発光モード切替手段によって情報出力モードに切り替えられた場合には、前記発光制御手段は、前記指示値に代えて、前記取得手段によって取得された情報に応じた位置の前記発光素子の発光を制御することを特徴とする。
【００１１】
また、別の好ましい態様において、情報入力モードに切り替える操作モード切替手段と、操作により入力を確定する確定操作子と、前記操作モード切替手段によって情報入力モードに切り替えられた場合に、前記確定操作子の操作により入力が確定されたときに前記指示値出力手段によって出力された指示値に応じた数値を入力値として出力する入力値出力手段とをさらに具備することを特徴とする。
【００１２】
また、別の好ましい態様において、前記指示値を制御値に変換する変換テーブルを複数記憶する記憶手段と、前記記憶手段に記憶された複数の変換テーブルのうち、一の変換テーブルを使用すべき変換テーブルとして設定する設定手段と、前記入力値出力手段によって出力される入力値に基づいて、前記設定手段において設定される変換テーブルを変更する変更手段とをさらに具備し、前記制御信号出力手段は、前記指示値出力手段によって出力された指示値を、前記設定手段によって設定された使用すべき変換テーブルに従って変換した制御値を示す制御信号を出力することを特徴とする。
【００１３】
また、別の好ましい態様において、操作子を有し、当該操作子の操作によって前記指示値の増減を無線通信によって指示するリモコンと、前記リモコンから指示に応じて前記指示値出力手段によって出力される指示値を増減させる増減手段とをさらに具備することを特徴とする。
【００１４】
また、別の好ましい態様において、前記複数の発光素子は、前記角度の始点から終点の範囲内に均等な間隔で配置されていることを特徴とする。
【００１５】
また、本発明は、上記記載の調節装置と、オーディオ信号を入力する入力手段と、前記入力手段から入力されたオーディオ信号を、前記制御信号出力手段から出力される制御信号に応じて増幅して出力する増幅手段とを具備することを特徴とするＡＶアンプを提供する。
【発明の効果】
【００１６】
本発明によれば、ロータリーエンコーダを用いたデジタル方式においても、アナログ方式と同等な操作感が得られる調節装置およびＡＶアンプを提供することができる。
【発明を実施するための最良の形態】
【００１７】
以下、本発明の一実施形態について説明する。
【００１８】
＜実施形態＞
本発明の実施形態に係る調節装置を有するＡＶアンプ１は、図１に示すように、４つのボリューム部１０Ａ、１０Ｂ、１０Ｃ、１０Ｄを有するカラオケ装置などに用いられるアンプである。ボリューム部１０Ａ、１０Ｂ、１０Ｃ、１０Ｄは、それぞれ、マイクロフォン（ＭＩＣ）の音量レベル、エコー（ＥＣＨＯ）のレベル、伴奏（ＭＵＳＩＣ）の音量レベル、音程変換（ＫＥＹ  ＣＯＮＴＲＯＬ）を制御するボリュームである。以下、ボリューム部１０Ｃ（以下、単にボリューム部１０という）に関連する各構成を例として説明する。
【００１９】
ボリューム部１０は、図２に示すように、回転操作子１０１と、回転操作子１０１の周囲に配置された発光部２００を有する。発光部２００は、回転操作子１０１の回転に応じて発光状態が変化する。この例においては、「０」から「１０」までの数字部分、目盛部分が光透過性を有する数字盤が発光部２００の発光方向前面に配置され、利用者は、数字盤からの透過光により発光する数字を視認することにより、ボリューム操作による指示値を認識することができる。
【００２０】
ボリューム部１０の構成について、図３を用いて詳細に説明する。図３は、ボリューム部１０の外観構成を示す説明図である。回転操作子１０１は、回転軸１０１０を有し、その回転軸１０１０を中心に回転操作が可能になっている。この回転操作子１０１は、一般的なロータリーエンコーダに用いられる回転操作子と同様に、いずれの回転方向（時計回り、反時計回り）に対して無制限に回転操作を行うことができ、回転量に制限がないものとなっている。
【００２１】
発光部２００は、ＬＥＤなどの複数の発光素子２０１−０、２０１−１、・・・、２０１−１０（以下、それぞれを区別しない場合には、発光素子２０１という）を有する。各発光素子２０１は、回転操作子１０１の周囲であって、この回転操作子１０１の回転軸１０１０を中心に広がる角度の始点から終点の範囲に、この回転軸１０１０を中心とする円周に沿って均等な間隔で配置されている。例えば、各発光素子２０１は、回転軸１０１０を中心とし、回転操作子１０１の半径より大きい所定の半径の円周上に配置される。
【００２２】
そして、発光部２００は、このように配置された複数の発光素子２０１により、回転軸１０１０を中心とした少なくとも所定の角度範囲αを、後述する所定の制御により発光させるものである。ここで、所定の角度範囲αは、角度の始点に対応する第１の角度から終点に対応する第２の角度の範囲であるものとし、この例においては、所定の方向（例えば、鉛直下方向）を基準として時計回りに角度が増加するものとすると、第１の角度は４０°、第２の角度は３２０°、角度範囲αは２８０°であるものとする。このように配置された各発光素子２０１は、上述した数字盤の各数字に対応した位置関係になっている。例えば、発光素子２０１−０は、数字盤の数字「０」に対応した位置、発光素子２０１−１は、数字盤の数字「１」に対応した位置に配置されるものとなる。したがって、発光素子２０１の発光により数字が表示され、例えば、発光素子２０１−１が発光すれば、「１」が表示されることになる。なお、数字盤を用いずに、発光素子２０１そのものの形状を数字の形状とすることにより、数字が表示されるようにしてもよい。
【００２３】
次に、ＡＶアンプ１の構成について、図４を用いて説明する。図４は、ＡＶアンプ１の構成を示すブロック図である。ロータリーエンコーダ１００は、上述した回転操作子１０１および信号出力部１０２を有する。信号出力部１０２は、回転操作子１０１の回転に応じた信号を出力する。
【００２４】
信号出力部１０２は、回転操作子１０１を時計回り（第１の方向）に回転させると加算信号を出力し、反時計回り（第２の方向）に回転させると減算信号を出力する。この例においては、加算信号は、パルス信号Ａ、Ｂの組み合わせにより構成され、パルス信号Ｂは、パルス信号Ａより９０°位相が進んでいる関係になっている。そして、所定角度回転するたびにパルスが発生する。この例においては、回転操作子１０１を概ね６．５°回転させると１パルス発生し、２８０°回転すれば、４３パルス発生するように設定されている。また、減算信号は、パルス信号Ｂが、パルス信号Ａより９０°位相が遅れている関係になっていること以外は、加算信号と同様である。
【００２５】
指示値出力部１１０は、回転操作子１０１の操作に応じた指示値を算出して出力する。指示値出力部１１０は、ロータリーエンコーダ１００の信号出力部１０２から出力される加算信号および減算信号のパルスを検出し、加算信号のパルスを検出すると、指示値を「１」増加させる加算処理を行い、減算信号のパルスを検出すると、指示値を「１」減少させる減算処理を行うことにより算出した指示値を随時出力する。したがって、算出される指示値は、回転操作子１０１の回転量に比例したものとなる。この出力は、指示値が変化するたびに行なってもよいし、一定間隔で出力されるようにしてもよい。
【００２６】
また、指示値出力部１１０には、指示値の下限値および上限値が予め設定され、この例においては、指示値の下限値は「０」、上限値は「４３」として設定されている。そして、指示値出力部１１０は、加算処理および減算処理においては、指示値が下限値より下がらないように、また、上限値より大きくならないように指示値の算出を行う。したがって、指示値が上限値の「４３」であるときに、加算信号のパルスを検出しても、加算処理はされずに指示値は「４３」のままであり、指示値が下限値の「０」であるときに、減算信号のパルスを検出しても、減算処理はされずに指示値は「０」のままとなる。
【００２７】
この下限値および上限値は、出力する指示値が下限値のときに、回転操作子１０１を第１の角度から第２の角度に相当する回転量、すなわち発光部２００の発光に係る角度範囲αの回転量で回転させた場合に、出力する指示値が上限値まで変化するような関係で設定されている。これにより、指示値出力部１１０は、出力する指示値が下限値の「０」であるときに、利用者が回転操作子１０１を時計回りに回転させ、回転量が２８０°になると、指示値が出力する指示値が上限値の「４３」まで加算されるように、指示値の算出を行う。
【００２８】
指示値は上述のように回転操作子１０１の回転量に比例して変化するから、このように算出される指示値は、第１の角度から第２の角度の間の角度に換算することができる。例えば、指示値が「０」のときは第１の角度に対応し、概ね１４０°時計回りに回転させたときの指示値である「２１」のときは、概ね鉛直上方向の角度に対応し、そしてさらに１４０°時計回りに回転させて合計２８０°回転させたときの指示値である「４３」のときは第２の角度に対応する。したがって、回転操作子１０１の回転による角度の変化量は、回転によって変化する指示値から換算できる角度の変化量と同じものとなる。
【００２９】
発光制御部１１１は、指示値出力部１１０から出力された指示値が入力され、その指示値に応じて、各発光素子２０１の発光制御を行い、発光部２００の発光状態を制御する。発光制御部１１１には、入力された指示値と発光すべき発光素子２０１とを対応付けた発光制御テーブルが予め設定されている。
【００３０】
この例においては、発光制御テーブルは、図５に示すような対応付けを示すものであり、指示値「０」〜「３」と発光素子２０１−０とが対応し、指示値「４」〜「７」と発光素子２０１−１とが対応していくように、４つの指示値ごとに、一の発光素子２０１と対応付けられ、指示値から換算可能な角度に対応する円周上の部分に近い発光素子２０１が対応するようになっている。言い換えれば、指示値の下限値と上限値との間を発光部２００が有する発光素子２０１の数で均等に分割して、各発光素子２０１に対応付けたものであり、指示値が４ステップ増加すると、数字盤における次の数字に対応する発光素子２０１が対応するようになっている。
【００３１】
発光制御部１１１は、入力された指示値に対応する発光素子２０１を発光制御テーブルにより特定し、発光素子２０１−０から特定した発光素子２０１までの全ての発光素子２０１が点灯するように制御する。例えば、発光制御部１１１は、入力された指示値が「１３」である場合には、発光素子２０１−３を特定し、発光素子２０１−０から発光素子２０１−３までの間となる発光素子２０１−０、２０１−１、２０１−２、２０１−３を発光させる。このとき、その他の発光素子２０１−４、２０１−５、・・・２０１−１０については、発光させない。このように、発光制御部１１１は、始点である第１の角度から指示値に応じた位置までの範囲に配置された発光素子２０１を発光させるように制御する。
【００３２】
なお、発光制御部１１１が発光させる発光素子２０１は、入力された指示値に対応して特定された発光素子２０１だけであってもよい。また、上述した発光態様において、発光させる発光素子２０１と発光させない発光素子２０１との関係が逆であってもよいし、特定された発光素子２０１を点滅させるような発光態様で発光制御を行ってもよい。すなわち、発光制御部１１１は、入力された指示値に応じた発光素子２０１の位置が認識できるような発光態様で各発光素子２０１の発光を制御すれば、どのような発光の制御であってもよい。
【００３３】
制御信号出力部１１３は、指示値出力部１１０から出力される指示値が入力され、記憶部１１２に記憶された変換テーブルを用いて、入力された指示値を制御値に換算し、この制御値を示す制御信号を出力する。この例においては、制御信号は、後述する音量制御部１１４に増幅部１１５の増幅率を制御させるため信号であって、制御信号が示す制御値は増幅率である。ここで、記憶部１１２に記憶された変換テーブルは、指示値を増幅率に換算するための換算用のテーブルであって、指示値が大きくなるほど増幅率が比例して大きくなるようになっている。なお、記憶部１１２には、指示値を制御値（増幅率）に換算するものであれば、変換テーブルではなく、換算式として記憶しておいてもよい。
【００３４】
音量制御部１１４は、制御信号出力部１１３から出力される制御信号が示す増幅率になるように、増幅部１１５に設定される増幅率を制御する。増幅部１１５は、入力されるオーディオ信号Ｓｉｎを、音量制御部１１４によって制御された増幅率で増幅し、オーディオ信号Ｓｏｕｔとして出力する。
【００３５】
本構成の説明は、伴奏の音量レベルを制御するボリューム部１０Ｃに関連する構成の説明であるから、このオーディオ信号Ｓｉｎは、図示しない音源などから出力されるカラオケの伴奏などを示すオーディオ信号であるが、例えば、マイクロフォンの音量レベルを制御するボリューム部１０Ａに対して本構成を適用した場合には、オーディオ信号Ｓｉｎは、図示しないマイクロフォンの収音によって出力されるオーディオ信号となる。このように、ＡＶアンプ１全体としては、図４に示した構成を、ボリューム部１０の数だけ有することになる。そして、制御信号出力部１１３から出力される制御信号が示す制御値は、それぞれの機能に応じた制御値となる。このように、本実施形態のＡＶアンプ１における調節装置は、ロータリーエンコーダ１００、指示値出力部１１０、発光制御部１１１、記憶部１１２、制御信号出力部１１３、発光部２００をその構成とするものである。以上が、ＡＶアンプ１の構成についての説明である。
【００３６】
次に、ＡＶアンプ１におけるボリューム部１０を操作したときの動作のうち、回転操作子１０１の回転操作に応じて発光部２００の発光状態が変化する動作について、図５を用いて説明する。
【００３７】
まず、現時点においては、指示値出力部１１０が最後に出力した指示値は、「５」であるものとし、図６（ａ）に示すように、発光素子２０１−０、２０１−１が発光し、その他の発光素子２０１−２、２０１−３、・・・、２０１−１０が発光していない状況であるとする。
【００３８】
利用者は、回転操作子１０１を操作して、時計回りに角度β（ここでは、概ね９０°）回転させる。これにより、信号出力部１０２からは加算信号が出力され、指示値出力部１１０から出力される指示値が増加していく。そして、出力される指示値が「８」になると発光素子２０１−２が発光し、続いて、指示値が「１２」になると発光素子２０１−３が発光する。そして、概ね９０°回転させると、指示値は「１９」まで増加し、図６（ｂ）に示すように、発光素子２０１−０から発光素子２０１−４までが発光した状態となる。
【００３９】
このように、本発明の実施形態に係る調節装置を有するＡＶアンプ１は、利用者がロータリーエンコーダ１００の回転操作子１０１を回転操作すると、回転量に応じて各発光素子２０１が発光制御されることにより発光部２００の発光状態を変化させることができる。このとき、角度βに対応する回転量で回転させると、角度βに対応した角度範囲の発光素子２０１がさらに発光することになるから、回転操作子１０１の回転と、発光部２００の発光状態とが対応したものとなり、デジタル方式のボリュームであっても、アナログ方式の操作感で操作が可能となり、利用者は操作に応じた指示値の変化を容易に認識することができる。
【００４０】
以上、本発明の実施形態について説明したが、本発明は以下のように、さまざまな態様で実施可能である。
【００４１】
＜変形例１＞
上述した実施形態において、図４に示すように、指示値出力部から出力される指示値について、無線通信による遠隔操作で増減させる指示をするリモコン３００を設けてもよい。この場合は、リモコン３００は、指示値を加算、減算させる操作子を有し、操作子の操作に応じて、指示値を加算または減算させる指示を示す指示信号を出力する。そして、指示値出力部１１０は、リモコン３００から出力される指示信号を取得すると、取得した指示信号の加算指示または減算指示によって、指示値に対して加算処理、減算処理を行って、指示値出力部１１０から出力される指示値を増減させるようにすればよい。このように、リモコン操作によって、回転操作子１０１が回転しなくても指示値を変更することができる。
【００４２】
＜変形例２＞
上述した実施形態においては、発光部２００の発光状態は、回転操作子１０１の回転操作に応じて変化するものであったが、これとは異なる制御、例えば、装置温度などの装置情報を取得して、その情報に応じて発光部２００の発光状態を変化させるようにしてもよい。この場合には、発光モードとして、実施形態のように回転操作子１０１の回転操作に応じて変化する、すなわち、音量レベルの制御に応じて発光部２００の発光状態を変化させる通常モードと、装置情報に応じて発光部２００の発光状態を変化させる情報出力モードとを有するようにし、これらを図示しない操作手段の指示であったり、特定の操作を行ったりすることによって切り替えるようにすればよい。そして、ＡＶアンプ１の構成を図７に示すように、装置情報取得部１２０および発光モード切替部１２１を設けた構成とすればよい。
【００４３】
装置情報取得部１２０は、装置情報として、装置内の所定部分の装置温度を取得し、取得した装置温度を示す温度情報を出力する。なお、装置情報としては、装置温度に限らず、ＣＰＵのバージョン、プログラムバージョン、チェックサムなど、装置内部で用いられる情報であればどのような情報であってもよい。
【００４４】
発光モード切替部１２１は、発光モードが通常モードである場合には、指示値出力部１１０から出力された指示値をそのまま発光制御部１１１に出力する。一方、発光モードが情報出力モードである場合には、装置情報取得部１２０から出力された温度情報を取得し、温度情報に応じた指示値を算出し、算出した指示値を発光制御部１１１に出力する。
【００４５】
温度情報に応じて算出する指示値は、発光部２００の発光状態の設定により変更可能にすればよい。例えば、装置温度が１０℃未満であれば発光素子２０１−０が発光し、装置温度が１０℃以上２０℃未満であれば発光素子２０１−１が発光するように、１０℃単位で発光させる場合には、発光部２００がそのような発光状態になるように指示値を算出し出力すればよい。例えば、装置温度が３５℃であれば、発光素子２０１−３が発光するようにすればよいから、指示値は「１２」から「１５」のいずれかとすればよい。
【００４６】
また、ＡＶアンプ１のように複数のボリューム部１０が存在する場合には、それぞれの発光部２００を用いて装置情報を表示するようにしてもよい。例えば、ボリューム部１０Ｃの発光部２００においては装置温度の百の位を、ボリューム部１０Ｂの発光部２００においては装置温度の十の位を、ボリューム部１０Ａの発光部２００においては装置温度の一の位をそれぞれ表示するように各ボリューム部１０の発光素子２０１を発光させる構成とすればよい。この場合には、それぞれのボリューム部１０に対応する発光モード切替部１２１は、それぞれ発光すべき発光素子２０１に対応する指示値を発光制御部１１１に出力するようにすればよい。このように、本変形例のような構成にすることにより、回転操作子１０１の操作感の向上だけでなく、操作感の向上のための発光部２００を利用して、装置情報を表示させることもできる。
【００４７】
＜変形例３＞
上述した実施形態においては、指示値出力部１１０から出力された指示値は、制御信号出力部１１３における制御値に換算されていたが、装置内における変換テーブルなどの各種設定情報を変更するために入力される入力値として用いるようにしてもよい。この場合には、制御モードとして、実施形態のように回転操作子１０１の回転操作に応じた制御値を示す制御信号を出力して、音量レベルなどを制御する通常モードと、回転操作子１０１の操作に応じて各種設定情報を変更する情報入力モードとを有するようにし、これらを図示しない操作手段の指示であったり、特定の操作を行ったりすることによって切り替えるようにすればよい。
【００４８】
そして、ＡＶアンプ１の構成を図８に示すように、確定スイッチ１３０、操作モード切替部１３１および変更部１３２を設けた構成とすればよい。ここで、記憶部１１２は、指示値を制御値に変換する際の変換態様（例えばボリュームカーブ）が異なる複数の変換テーブルがテーブル番号（例えば、０、１、２、・・・、１０）と対応付けて記憶され、これらの変換テーブルのうち、制御信号出力部１１３によって使用されるべき一の変換テーブルが設定されている。
【００４９】
操作モード切替部１３１は、制御モードが通常モードである場合には、指示値出力部１１０から出力された指示値をそのまま制御信号出力部１１３に出力する。一方、制御モードが情報入力モードである場合には、確定スイッチ１３０が操作されたときに、指示値出力部１１０から出力される指示値に応じた数値を入力値として変更部１３２に出力する。指示値から入力値への変換は、発光制御部１１１において用いられる発光制御テーブルを参照して行われ、指示値に応じて特定される発光素子２０１に対応する数字を入力値の数値とするものである。
【００５０】
確定スイッチ１３０は、操作により入力を確定する操作子である。これは、回転操作子１０１とは独立した操作子であってもよいし、回転操作子１０１を押すことによりスイッチとして機能する構成としておき、これを押す操作が確定スイッチ１３０の操作に対応するものとしてもよい。
【００５１】
変更部１３２は、記憶部１１２において設定される変換テーブルを、操作モード切替部１３１から出力された入力値が示す数値のテーブル番号に対応する変換テーブルに変更して再設定する。このように、本変形例のような構成にすることにより、回転操作子１０１の操作感が向上した状態で、装置内の各種設定情報を変更することもできる。
【００５２】
なお、各種設定情報には、上述のような使用されるべき変換テーブルの設定だけでなく、最大音量を制限する設定など、装置内において予め設定された設定情報であればどのようなものとしてもよい。さらに、設定情報に限らず、金庫のダイヤルのように用いることで、様々な設定変更を行える設定変更モードなどへ移行させるための暗証番号の入力に用いることもできる。
【００５３】
また、本変形例のように使用すべき変換テーブルを選択するだけでなく、入力値に基づいて変換テーブルの内容を修正するようにしてもよい。さらに、複数のボリューム部１０を用いて、それぞれの回転操作子１０１の操作によって得られる指示値を組み合わせて入力値に変換し、より複雑な設定情報の修正を行うようにしてもよい。これを暗証番号の入力に利用すれば、複雑な暗証番号を設定しておくこともできる。
【００５４】
＜変形例４＞
上述した実施形態において、指示値出力部１１０に予め設定された上限値とは別に、変更可能な上限値（以下、変更上限値という）を設定できるようにしてもよい。そして、変更上限値が設定された場合には、指示値出力部１１０における指示値の算出は、予め設定された下限値と、設定された変更上限値との間になるように行われる。すなわち、変更上限値が「３０」となった場合には、指示値出力部１１０が算出した指示値が「３０」であるときに、加算信号のパルスを検出しても指示値は増加しない。
【００５５】
このような構成を例えば伴奏の音量レベルを制御するボリューム部１０Ｃに適用すれば、最大音量を決めるリミッタとして使用することができる。ここで、リミッタとして使用しているときは、変更上限値の指示値に対応する発光素子２０１までしか発光しないものとなる。例えば、変更上限値が「３０」であれば、発光素子２０１−７までしか発光せず、回転操作子１０１をさらに時計回りに回転操作しても、発光素子２０１−８、２０１−９、２０１−１０は発光しない。一方、発光素子２０１−１、２０１−２、・・・、２０１−７の発光制御については、リミッタの設定の有無にかかわらず、同様な制御となる。
【００５６】
このように、リミッタを使用していないとき、すなわち変更上限値を設定していないときにおける音量レベルの制御に応じた発光部２００の発光状態の変化と、変更上限値が設定されているときにおける音量レベルの制御に応じた発光部２００の発光状態の変化とは、指示値が下限値から変更上限値までの間は同じものとなるから、利用者はリミッタの有無にかかわらず、同様な操作感で回転操作子１０１を操作することができ、さらに、発光部２００の発光状態を確認することで、リミッタにより最大音量が制限されているかどうかを認識することができる。
【００５７】
なお、出力上限値の設定は、例えば、変形例３で述べたような方法で行うようにしてもよいし、図示しない操作手段の操作によって行うようにしてもよい。また、本変形例においては変更上限値について説明したが、下限値に対応する変更下限値を設けてもよく、これにより、例えば最低音量の制限をすることもできる。
【００５８】
＜変形例５＞
上述した実施形態においては、発光部２００は、ＬＥＤなどの光源を用いた複数の発光素子２０１を有し、各発光素子２０１の発光制御により発光状態が変化するものであったが、図９に示すように、発光部２００は、ＯＬＥＤ（Ｏｒｇａｎｉｃ  ｌｉｇｈｔ  ｅｍｉｔｔｉｎｇ  ｄｉｏｄｅ）などを用いて、面光源とみなせるような、大きさが非常に小さい多数の発光素子を有するようにしてもよい。
【００５９】
このようにすると、複数の発光素子２０１を発光制御して発光部２００の発光状態を変えるのではなく、より連続的に発光状態を変化させることができ、指示値の下限値から上限値までのステップ数の分解能で変化させることができる。なお、加算信号および減算信号の１パルスあたりの回転角度を細かくし、また、発光素子の数を多くして精細度を向上させれば、より細かい分解能で発光部２００の発光状態を滑らかに変化させることができる。
【００６０】
例えば、実施形態に示すような場合は、このステップ数は４４であるから、ＭＩＮ（始点）からＭＡＸ（終点）までを４４分割して、発光部２００の発光状態を変化させることができる。そして、発光制御部１１１は、指示値に応じた発光領域２１０を特定して発光させるようにすればよい。例えば、発光制御部１１１は、指示値出力部１１０から出力される指示値が「２３」であれば、図９に示すように、ＭＩＮの位置から半分を少し超えた位置までの範囲の発光領域２１０が発光するように制御する。
【００６１】
なお、このように分解能が高い発光部２００を変形例３に示すような情報入力モードにおいて用いる場合には、上述のような発光領域２１０を特定する発光制御テーブルを、情報入力用の発光制御テーブルに切り替えて処理するようにすればよい。ここで、情報入力用の発光制御テーブルは、発光部２００の発光状態における分解能を全発光領域の１０分割程度に低下させるように指示値の範囲を設定したものであり、これにより、入力したい数値が１桁である場合は、回転操作子１０１の操作によって入力したい数値を容易に選択することができる。
【００６２】
＜変形例６＞
上述した実施形態においては、複数の発光素子２０１は、均等な間隔で配置されていたが、間隔は必ずしも均等でなくてもよい。例えば、発光素子２０１−０、２０１−１、・・・、２０１−５の配置間隔が、発光素子２０１−６、２０１−７、・・・、２０１−１０の配置間隔より狭くなるような配置として、配置間隔が異なるようにしてもよい。このようにすると、発光素子２０１が配置される角度範囲αのうち、一部の角度範囲の発光状態の分解能を高くすることができる。
【００６３】
このような配置とした場合には、回転操作子１０１の回転量と発光部２００の発光状態が対応したものとなるように、発光制御部１１１に設定されている発光制御テーブルを、発光素子２０１の配置に対応したものとすればよい。これにより、回転操作子１０１を角度βに対応する回転量で回転させると、角度βに対応した角度範囲の発光素子２０１がさらに発光するという状態を維持することができ、発光部２００の発光状態と回転操作子１０１の回転量と対応させることができる。
【００６４】
ここで、具体的には、発光制御テーブルは、実施形態においては、指示値が４ステップごとに対応する発光素子２０１が異なるものとなっていたが、上述したように配置間隔を異ならせる場合には、発光素子２０１の配置間隔に応じて、発光素子２０１が異なるものとなる指示値のステップ量を変更しておけばよい。例えば、発光素子２０１−０、２０１−１、・・・、２０１−５については、発光素子２０１−０に対応する指示値は「０」から「２」、発光素子２０１−１に対応する指示値は「３」から「５」、といったように、指示値が３ステップごとに対応するようにする。そして、発光素子２０１−６、２０１−７、・・・、２０１−１０については、それぞれ指示値が「１８」から「２２」、「２３」から「２７」、・・・、「３８」から「４３」といったように、指示値が概ね５ステップごとに対応するようにすればよい。
【００６５】
このようにすれば、音量レベルなどの制御において、細かい分解能で制御が行われやすい範囲が存在する場合、その範囲における発光素子２０１の配置間隔が狭くなるようにしておくことにより、利用者は、細かい分解能での制御が必要な範囲においては、分解能の高い状態での発光部２００の発光状態を確認しながら、回転操作子１０１を操作することができる。このとき、配置間隔が異なっている発光素子２０１があっても、上述のように、発光制御テーブルを配置間隔に応じて設定しておくことにより、回転操作子１０１の回転量と発光部２００の発光状況とを対応させることができる。
【図面の簡単な説明】
【００６６】
【図１】実施形態に係るＡＶアンプの正面を示す外観図である。
【図２】実施形態に係るＡＶアンプのボリューム部を示す外観図である。
【図３】実施形態に係るボリュームの構成を示す説明図である。
【図４】実施形態に係るＡＶアンプの構成を示すブロック図である。
【図５】実施形態に係る発光制御テーブルの内容を示す説明図である。
【図６】実施形態に係るボリューム部の動作を示す説明図である。
【図７】変形例２に係るＡＶアンプの構成を示すブロック図である。
【図８】変形例３に係るＡＶアンプの構成を示すブロック図である。
【図９】変形例５に係るボリューム部の構成を示す説明図である。
【符号の説明】
【００６７】
１…ＡＶアンプ、１０、１０Ａ、１０Ｂ、１０Ｃ、１０Ｄ…ボリューム部、１０１…回転操作子、１１０…指示値出力部、１１１…発光制御部、１１２…記憶部、１１３…制御信号出力部、１１４…音量制御部、１１５…増幅部、１２０…装置情報取得部、１２１…発光モード切替部、１３０…確定スイッチ、１３１…操作モード切替部、１３２…変更部、２００…発光部、２０１，２０１−１，２０１−２，・・・２０１−１０…発光素子、２１０…発光領域、１０１０…回転軸
【図１】
0005181838.tif 000002
【図２】
0005181838.tif 000003
【図３】
0005181838.tif 000004
【図４】
0005181838.tif 000005
【図５】
0005181838.tif 000006
【図６】
0005181838.tif 000007
【図７】
0005181838.tif 000008
【図８】
0005181838.tif 000009
【図９】
0005181838.tif 000010